(57)【要約】【課題】簡単な構成によって効果的に睡眠を誘導する誘眠装置を提供することを課題とする。【解決手段】被験者の睡眠を誘導する誘眠装置１であって、被験者の生体情報を取得する生体情報取得手段２と、生体情報取得手段２で取得した生体情報に基づいて被験者に眼振を促すために与える刺激のパラメータを取得する刺激パラメータ取得手段３と、刺激パラメータ取得手段３で取得した刺激パラメータに基づいて被験者の耳部に刺激を与える刺激付与手段４，５とを備えることを特徴とする。【選択図】図１
2009039339.tif 000002
【特許請求の範囲】
【請求項１】
被験者の生体情報を取得する生体情報取得手段と、
前記生体情報取得手段で取得した生体情報に基づいて被験者に眼振を促すために与える刺激のパラメータを取得する刺激パラメータ取得手段と、
前記刺激パラメータ取得手段で取得した刺激パラメータに基づいて被験者の耳部に刺激を与える刺激付与手段と
を備えることを特徴とする誘眠装置。
【請求項２】
前記刺激付与手段は、低周波の周期で被験者の耳部に刺激を与えることを特徴とする請求項１に記載する誘眠装置。
【請求項３】
前記刺激付与手段は、左右の耳部に対して交互に刺激を与えることを特徴とする請求項１又は請求項２に記載する誘眠装置。
【請求項４】
前記刺激パラメータ取得手段は、被験者に眼振を促すための温度刺激の温度を取得し、
前記刺激付与手段は、前記刺激パラメータ取得手段で取得した温度の温度刺激を被験者の耳部に与えることを特徴とする請求項１〜請求項３のいずれか１項に記載する誘眠装置。
【請求項５】
前記生体情報取得手段は、
被験者の眼の動きを取得する眼動取得手段と、
被験者の体温を取得する体温取得手段と
を含むことを特徴とする請求項４に記載する誘眠装置。
【請求項６】
前記刺激パラメータ取得手段は、前記眼動取得手段で取得した眼の動きから眼振速度を取得する眼振速度取得手段を含み、前記眼振速度取得手段で取得した眼振速度と前記体温取得手段で取得した体温に基づいて被験者に眼振を促すための温度刺激の温度を取得することを特徴とする請求項５に記載する誘眠装置。
【発明の詳細な説明】
【技術分野】
【０００１】
本発明は、被験者の睡眠を誘導する誘眠装置に関する。
【背景技術】
【０００２】
夜などに睡眠する場合や車両の運転者が仮眠をとる場合などに、早期に睡眠を誘導するための誘眠装置が開発されている。誘眠装置としては、例えば、特許文献１に記載の装置では、覚醒状態のときに音刺激と振動刺激を同時に与えてストレスを解消し、リラックスして睡眠状態に移行しようとしているときに音刺激を停止して睡眠への移行に適した振動刺激に切り替え、睡眠を誘導する。
【特許文献１】特開平２−９８３６８号公報
【発明の開示】
【発明が解決しようとする課題】
【０００３】
従来の誘眠装置の場合、体に振動を与えるので、装置構成が大型化するとともに、全身に振動が伝わることで内蔵などに負担をかける虞がある。特に、車両に搭載した場合、シートに全身振動装置を埋め込む必要があり、背部、臀部、腰部などに振動を与えるためには装置構成が非常に複雑になる。
【０００４】
そこで、本発明は、簡単な構成によって効果的に睡眠を誘導する誘眠装置を提供することを課題とする。
【課題を解決するための手段】
【０００５】
本発明に係る誘眠装置は、被験者の生体情報を取得する生体情報取得手段と、生体情報取得手段で取得した生体情報に基づいて被験者に眼振を促すために与える刺激のパラメータを取得する刺激パラメータ取得手段と、刺激パラメータ取得手段で取得した刺激パラメータに基づいて被験者の耳部に刺激を与える刺激付与手段とを備えることを特徴とする。
【０００６】
この誘眠装置では、生体情報取得手段により被験者の生体情報を取得し、刺激パラメータ取得手段により生体情報に基づいて被験者に眼振を促すための刺激に関するパラメータを取得する。そして、誘眠装置では、刺激付与手段により刺激パラメータに基づいて被験者の耳部に刺激を与える。耳に対して刺激を与えると、三半規管の外半規管が刺激され、体が揺れていないにもかかわらず、外半規管のリンパが動き、リンパ流が生じる。このリンパ流によって体が移動したと感じ取り、視線位置を補正しようとして眼が動き、眼振を生じる。このような擬似的な揺動感覚を与えることにより、被験者の睡眠を誘導する。このように、誘眠装置では、耳部に刺激を与える簡単な構成によって、眼振という擬似的な揺れを生じさせることにより、被験者を効果的に睡眠に誘導することができる。
【０００７】
なお、生体情報は、被験者の眼振に関係する様々な生体情報であり、例えば、眼の動き、体温である。刺激は、三半規管においてリンパ流を生じさせることができる刺激であり、例えば、温度刺激、電気刺激、磁気刺激、音刺激、振動波刺激である。刺激パラメータは、刺激を与えるときの様々なパラメータであり、例えば、温度刺激の温度、電気刺激の電流値や電圧値、磁気刺激の磁気量、音刺激の音の大きさや振動数である。耳部に刺激を与える場合、耳の内部に刺激を与えてもよいし、あるいは、耳周辺の外側（例えば、耳の後部）から刺激を与えてもよい。
【０００８】
本発明の上記誘眠装置では、刺激付与手段は、低周波の周期で被験者の耳部に刺激を与えると好適である。このように、誘眠装置では、低周波の周期の刺激によって、誘眠に効果的な低周波の周期の擬似的な揺れを生じさせることにより、被験者をより早期に睡眠に誘導することができる。低周波としては、例えば、１Ｈｚ以下の不規則な低周波、睡眠の始まりである睡眠段階１の移行前に生じる緩徐眼球運動(Slow Eye Movement)と同様の低周波、１／ｆゆらぎなどのゆらぎのある低周波である。
【０００９】
本発明の上記誘眠装置では、刺激付与手段は、左右の耳部に対して交互に刺激を与えると好適である。このように、誘眠装置では、左右両耳に交互に同じ刺激を与えることにより、被験者に刺激による負担を軽減でき、刺激を付与するときの制御や装置構成も簡単化できる。
【００１０】
本発明の上記誘眠装置では、刺激パラメータ取得手段は、被験者に眼振を促すための温度刺激の温度を取得し、刺激付与手段は、刺激パラメータ取得手段で取得した温度の温度刺激を被験者の耳部に与える構成としてもよい。
【００１１】
この誘眠装置では、被験者に刺激として温度刺激を与えるために、刺激パラメータ取得手段により温度刺激の温度を取得し、刺激付与手段により刺激パラメータ取得手段で取得した温度の温度刺激を被験者の耳部に与える。温度刺激とした場合、体温と温度刺激による温度との温度差に応じてリンパ流を生じさせることができ、温度差が大きいほど、擬似的な揺れ（眼振）が大きくなり、揺れの速度も速くなる。また、体温より高い温度を与えた場合には与えた側に眼が動き、体温より低い温度を与えた場合には与えた反対側に眼が動く。このように、誘眠装置では、温度刺激を与えることにより、リンパ流（ひいては、擬似的な揺れ）を効果的に生じさせることができ、被験者に与える負担も軽減できる。
【００１２】
本発明の上記誘眠装置では、生体情報取得手段は、被験者の眼の動きを取得する眼動取得手段と、被験者の体温を取得する体温取得手段とを含む構成としてもよい。与える刺激を温度刺激とした場合、擬似的な揺れの大きさや揺れの速度を被験者に応じて最適に制御するために、付与した温度刺激に対する被験者の実際の眼の動き（眼振）及び体温との温度差が重要となる。そこで、この誘眠装置では、眼動取得手段により被験者の眼の動きを取得するとともに、体温取得手段により被験者の体温を取得する。
【００１３】
本発明の上記誘眠装置では、刺激パラメータ取得手段は、眼動取得手段で取得した眼の動きから眼振速度を取得する眼振速度取得手段を含み、眼振速度取得手段で取得した眼振速度と体温取得手段で取得した体温に基づいて被験者に眼振を促すための温度刺激の温度を取得する構成としてもよい。
【００１４】
この誘眠装置では、刺激パラメータ取得手段により、眼振速度取得手段で眼の動きから被験者の眼振速度を取得し、被験者から実際に検出した眼振速度と体温に基づいて被験者に眼振を促すための温度刺激の温度を取得する。眼振速度は体温と温度刺激の温度との温度差に対して比例関係にあり、温度差の絶対値が大きくなるほど眼振速度が速くなる。また、人の違いや同じ人でも体調の違いによって、同じ温度刺激に対しても眼振速度が異なる場合がある。さらに、人は、体温は常に一定ではなく、変動している。そこで、この誘眠装置では、温度刺激を与えているときの被験者の実際の眼振速度（付与した温度刺激に対する反応）と体温をフィードバックして与える温度刺激の温度を設定することにより、被験者に応じた最適な温度を設定でき、より早期に睡眠に誘導することができる。
【発明の効果】
【００１５】
本発明は、耳部に刺激を与える簡単な構成によって、眼振という擬似的な揺れを生じさせることにより、被験者を効果的に睡眠に誘導することができる。
【発明を実施するための最良の形態】
【００１６】
以下、図面を参照して、本発明に係る誘眠装置の実施の形態を説明する。
【００１７】
本実施の形態では、本発明に係る誘眠装置を、車両に搭載され、早期に運転者を睡眠に誘導する誘眠装置に適用する。本実施の形態に係る誘眠装置では、与える刺激が温度刺激であり、与える周期が低周波の周期であり、与える耳が両耳である。
【００１８】
図１〜図８を参照して、本実施の形態に係る誘眠装置１について説明する。図１は、本実施の形態に係る誘眠装置の構成図である。図２は、耳の構造図である。図３は、体温と呈示温度との温度差と眼振速度との関係図である。図４は、両耳への温度刺激呈示のＯＮ／ＯＦＦ制御の一例を示す図である。図５は、図４の制御で両耳への温度刺激を呈示した場合の眼の動きの一例である。図６は、図４の制御で両耳への温度刺激を呈示した場合の眼の動きの他の例である。図７は、図４の制御で呈示温度を変えて両耳への温度刺激を呈示した場合の眼の動きの一例である。図８は、眼振周期と誘眠効果との関係図である。
【００１９】
誘眠装置１は、擬似的な揺れを利用して運転者の睡眠を早期に誘導するために、運転者の左右の耳に対して低周波の周期で交互に温度刺激を呈示する。特に、誘眠装置１では、運転者個々の状態に応じて最適な温度の温度刺激を呈示するために、運転者の体温と眼振状態を取得し、フィードバック制御によって温度刺激の温度を設定する。そのために、誘眠装置１は、生体情報検出部２（眼振検出部２ａと体温検出部２ｂ）、温度設定部３、温度制御部４、刺激呈示部５（右耳用温度呈示部５ａと左耳用温度呈示部５ｂ）を備えている。
【００２０】
なお、本実施の形態では、生体情報検出部２が特許請求の範囲に記載する生体情報取得手段に相当し、眼振検出部２ａが特許請求の範囲に記載する眼動取得手段に相当し、体温検出部２ｂが特許請求の範囲に記載する体温取得手段に相当し、温度設定部３が特許請求の範囲に記載する刺激パラメータ取得手段及び眼振速度取得手段に相当し、温度制御部４及び刺激呈示部５が特許請求の範囲に記載する刺激付与手段に相当する。
【００２１】
各部について具体的に説明する前に、図２を参照して耳部への温度刺激による誘眠の原理について説明しておく。この誘眠の原理では、めまい検査に利用される温度眼振刺激に着目している。外耳道ＥＥに対して温度刺激ＴＳを与えると、その温度刺激ＴＳと体温との温度差により、内耳ＩＥの三半規管ＳＣの外半規管ＥＳが刺激され、リンパ流が生じる。このリンパ流によって体が移動したと感じ取り、視線位置を補正しようと眼が動く（すなわち、眼振が発生する）。つまり、温度刺激ＴＳによってリンパ流が生じている状態では、体が揺れていないにもかかわらず、外半規管ＥＳのリンパが動くため、擬似的な揺れが生じる。この擬似的な揺れ感覚により、通常より早期に睡眠状態に誘導できる。このように、本実施の形態では、この温度刺激による眼振という擬似的な揺れを誘眠に利用する。
【００２２】
温度刺激によって睡眠を誘導する場合、擬似的な揺れ（眼振）を低周波振動とすると非常に効果的であるので、低周波の周期で温度刺激を与える。誘眠には、物理的な揺れとして１Ｈｚ前後の揺れが有効とされている。そこで、低周波としては、例えば、１Ｈｚ以下の不規則な低周波、睡眠の始まりである睡眠段階１の移行前に生じる緩徐眼球運動と同様の低周波、１／ｆゆらぎなどのゆらぎのある低周波である。
【００２３】
体温と与える温度刺激との温度差が大きいほど、リンパ流が激しくなる。つまり、温度差が大きいほど、揺れ（眼振）が大きくなり、揺れの速度も速くなる（図３参照）。また、体温より高い温度を与えると与えた耳側に眼が動き、体温より低い温度を与えると与えた耳と反対側に眼が動く。したがって、両耳に温度刺激を与える場合、右耳と左耳に低周波の周期で交互に体温より高い温度（あるいは、低い温度）を与えることにより、眼が左右に動く。一方、片耳だけに温度刺激を与える場合、一方の耳に低周波の周期で体温より高い温度と低い温度を与えることにより、眼が左右に動く。それでは、以下に各部について具体的に説明する。
【００２４】
生体情報検出部２は、運転者の眼の動き（眼振の度合い）と体温を検出する手段であり、眼振検出部２ａと体温検出部２ｂがある。眼振検出部２ａでは、一定時間毎に眼の動きを検出し、その検出結果（例えば、一定時間毎の眼の位置）を温度設定部３に出力する。眼振検出部２ａとしては、例えば、眼電計によるＥＯＧ[Electro Oculography]（一般的な生理計測法として、電極を両目近傍に装着し、電位変化で眼の動きを捉える方法）による検出、カメラと画像処理装置による画像認識で眼の動きを捉える検出がある。カメラの場合、眼がとじている場合には眼の動きを直接検出できないが、眼の構造から角膜部分が凸になっているので、まぶたを通したその凸部分の動きを画像から検出する。体温検出部２ｂでは、一定時間毎に体温を検出し、その検出結果を温度設定部３に出力する。体温検出部２ｂとしては、例えば、一般的な体温計、サーモグラフィがある。検出する箇所としては、耳部でもよいし、あるいは、耳部以外の箇所でもよい。耳部の場合、片耳だけでもよいし、あるいは、両耳でもよい。
【００２５】
温度設定部３は、生体情報検出部２で検出した運転者の眼の動きと体温に基づいて、誘眠に効果的な温度刺激の度合い（すなわち、呈示温度）を設定する。具体的には、温度設定部３では、制御開始時、体温検出部２ｂで検出した運転者の体温に基づいて、その体温と呈示温度との差が基本温度差になるように呈示温度を設定する。基本温度差は、誘眠に効果的な眼振速度になるために必要な体温と呈示温度との温度差であり、多数の被験者に対する実験などによって予め設定される。図３に示すように、一般的に、呈示温度と体温との温度差（温度差が０未満の場合には体温より低い呈示温度であり、温度差が０より大きい場合には体温より高い呈示温度である）に対して眼振速度が線形に変化し、温度差（絶対値）が大きくなるほど眼振速度が速くなる。この関係を利用して、眼振速度が誘眠に効果的な低周波（基本低周波）となるように、基本温度差が設定される。基本低周波は、上記した低周波の中から予め設定される。
【００２６】
同じ体温のときに同じ呈示温度の温度刺激を与えた場合でも、人の違いや同じ人でも体調の違いなどによって、同じ眼振速度にならないことがある。そのため、温度刺激を与えているときの運転者の実際の眼振速度を監視し、目標とする低周波になるように温度差（呈示温度）を調整する必要がある。
【００２７】
また、人の体温は常に一定でなく、変動していることが多い。また、覚醒が高い状態と眠くなってきている状態とでは、体温の変動が大きい。特に、誘眠させる場合（眠くなってくる場合）、人は、深部体温を低下させるために放熱し、体表面部分の体温が上昇する。そのため、温度刺激を与えているときの運転者の実際の体温を監視し、目標とする温度差になるように呈示温度を調整する必要がある。
【００２８】
そこで、温度設定部３では、温度刺激を呈示中、眼振検出部２ａで検出した眼の動き（一定時間毎の眼の位置など）から眼振速度を算出する。そして、温度設定部３では、その実際の眼振速度が目標とする低周波（基本低周波）に相当する眼振速度（温度差）になるように、体温検出部２ｂで検出した体温に基づいて呈示温度を設定する。例えば、実際の眼振速度が目標の低周波に相当する眼振速度より速い場合、眼振速度を遅くするために、体温との温度差が小さくなるように呈示温度を変更する。
【００２９】
例えば、図４に示すような一定の低周波の周期で左耳と右耳に交互に体温より高い温度を与えた場合、図５に示すように連続的に眼が動いたり、あるいは、図６に示すように間欠的に眼が動いたりする。このように、同じ温度刺激でも人の違いや体調の違いによって、眼の動きに差が発生し、眼振速度が異なる場合があり、睡眠に至るまでの時間も異なる。そこで、図６に示すような誘眠に効果的な周期でない眼の動きの場合、呈示温度を変更することにより、図７に示すような誘眠に効果的な滑らかな連続的な眼の動きとなる。
【００３０】
なお、両耳に温度刺激を与える場合、両耳に対して体温より高い温度を与えてもといし、あるいは、低い温度を与えてもよい。また、運転に支障をきたさない程度の温度差（数°Ｃ程度）になるように、呈示温度を設定する。
【００３１】
温度制御部４は、目標となる低周波（基本低周波）の周期で運転者の左耳と右耳に交互に温度設定部３で設定した呈示温度を与えるように、刺激呈示部５を制御する。具体的には、温度制御部４では、図４に示すように、目標となる低周波の半周期毎に、温度設定部３で設定した呈示温度を示すＯＮ指令の右耳用温度呈示部５ａへの出力かつＯＦＦ指令の左耳用温度呈示部５ｂへの出力と温度設定部３で設定した呈示温度を示すＯＮ指令の左耳用温度呈示部５ｂへの出力かつＯＦＦ指令の右耳用温度呈示部５ａへの出力とを切り替える。
【００３２】
図８に示すように、人には、誘眠に効果的な眼振周期がある。そこで、この眼振周期になるように左耳と右耳に交互に温度刺激を与える必要がある。この眼振周期となるような基本低周波は、上記したように予め設定される。この誘眠に効果的な眼振周期も人の違いによって異なる場合があるので、基本低周波を運転者毎に設定するようにしてもよい。
【００３３】
刺激呈示部５は、左耳と右耳の各外耳道に温度刺激を与える手段であり、右耳用温度呈示部５ａと左耳用温度呈示部５ｂがある。各温度呈示部５ａ，５ｂでは、ＯＮ指令を入力した場合にはそのオン指令に示される呈示温度に調整した温度刺激を各耳の外耳道に与え、ＯＦＦ指令を入力した場合には温度刺激呈示を停止する。各温度呈示部５ａ，５ｂとしては、例えば、温度調整可能な風を噴射する手段、温度調整可能な液体を流す手段がある。
【００３４】
図１〜図８を参照して、誘眠装置１の動作について説明する。ここでは、体温より高い温度の温度刺激を、右耳から順に与えることとする。誘眠装置１の起動については、例えば、運転者が仮眠などをとるために運転者自身が起動してもよいし、車両側の制御で起動するようにしてもよい。誘眠装置１が起動すると、一定時間毎に、眼振検出部２ａで眼の動きを検出するとともに、体温検出部２ｂで体温を検出する。
【００３５】
起動時、温度設定部３では、体温検出部２ｂで検出した体温に基づいて、予め設定されている基本温度差になるように呈示温度を設定する。温度制御部４では、その呈示温度を示すＯＮ指令を右耳用温度呈示部５ａに出力し、ＯＦＦ指令を左耳用温度呈示部５ｂに出力する。ＯＮ指令を入力すると、右耳用温度呈示部５ａでは、呈示温度となる温度刺激を右耳の外耳道に与える。一方、ＯＦＦ指令を入力すると、左耳用温度呈示部５ｂでは、温度刺激を与えない。この場合、右耳の外半規管が刺激されてリンパ流が生じ、両眼共に右側に動き始める。
【００３６】
温度刺激を呈示後、温度設定部３では、一定時間毎に、眼振検出部２ａで検出した眼の動きから眼振速度を算出する。そして、温度設定部３では、一定時間毎に、その眼振速度が目標とする低周波に相当する眼振速度になるように、体温検出部２ｂで検出した体温に基づいて呈示温度を設定する。
【００３７】
温度制御部４では、目標となる低周波の半周期毎に、その呈示温度を示すＯＮ指令を右耳用温度呈示部５ａと左耳用温度呈示部５ｂのうちの一方の耳用温度呈示部に出力し、ＯＦＦ指令を他方の耳用温度呈示部に出力する。ＯＮ指令を入力すると、一方の耳用温度呈示部では、呈示温度となる温度刺激を一方の耳の外耳道に与える。ＯＦＦ指令を入力すると、他方の耳用温度呈示部では、温度刺激呈示を停止する。この場合、一方の耳の外半規管が刺激されてリンパ流が生じ、両眼共に一方の耳側に動く。そして、目標となる低周波の半周期経過後、温度制御部４では、呈示温度を示すＯＮ指令を右耳用温度呈示部５ａと左耳用温度呈示部５ｂのうちの他方の耳用温度呈示部に出力し、ＯＦＦ指令を一方の耳用温度呈示部に出力する。ＯＮ指令を入力すると、他方の耳用温度呈示部では、呈示温度となる温度刺激を他方の耳の外耳道に与える。ＯＦＦ指令を入力すると、一方の耳用温度呈示部では、温度刺激呈示を停止する。この場合、他方の耳の外半規管が刺激されてリンパ流が生じ、両眼共に他方の耳側に動く。これによって、低周波の周期で、右耳と左耳の交互に温度刺激が与えられ、両目が左右方向に連続的に移動する。この低周波の眼振による擬似的な揺れにより、運転者の通常より早く睡眠状態に移行する。
【００３８】
この誘眠装置１によれば、耳に温度刺激を与えることによって眼振という擬似的な揺れを生じさせることにより、運転者を早期に睡眠に誘導することができる。特に、誘眠装置１では、耳部に温度刺激を与える簡単な構成であり、自動車に容易に搭載可能である。
【００３９】
さらに、誘眠装置１では、低周波の周期の温度刺激によって低周波の周期の擬似的な揺れを生じさせることにより、運転者をより早期に睡眠に誘導することができる。また、誘眠装置１では、左右両耳に刺激を与えることにより、温度刺激の温度が急激に変わることがないので運転者に温度刺激による負担を軽減でき、ＯＮ／ＯＦＦ制御によって右耳と左耳に交互に温度刺激を付与するだけなので制御や装置構成も簡単化できる。
【００４０】
また、誘眠装置１では、刺激として温度刺激を与えることにより、擬似的な揺れを効果的に生じさせることができ、運転者に与える負担も軽減できる。誘眠装置１では、温度刺激呈示中の実際の眼振速度と体温によるフィードバック制御で温度刺激の呈示温度を設定することにより、運転者に応じた最適な温度を設定でき、より早期に睡眠に誘導することができる。
【００４１】
以上、本発明に係る実施の形態について説明したが、本発明は上記実施の形態に限定されることなく様々な形態で実施される。
【００４２】
例えば、本実施の形態では車両に搭載され、運転者の睡眠を誘導する誘眠装置に適用したが、医療分野、住宅分野、寝具分野などの他の分野でも適用可能である。
【００４３】
また、本実施の形態では眼振を促すための刺激として温度刺激を適用したが、外半規管にリンパ流を生じさせることができるなら、電気刺激、磁気刺激、振動波刺激、音刺激などの他の刺激でもよい。
【００４４】
また、本実施の形態では刺激を低周波で与える構成としたが、睡眠を促すことができるのなら他の周波数帯で刺激を与えてもよい。
【００４５】
また、本実施の形態では耳の内部に刺激を与える構成としたが、耳周辺の外側から耳に対して刺激を与えてもよい。
【００４６】
また、本実施の形態では左右両方の耳に刺激を交互に与える構成としたが、片方の耳だけに刺激を与える構成としてもよい。例えば、片方の耳だけに温度刺激を与える場合、体温に比べて高い温度刺激のときには温度刺激を与えた耳側に眼が揺れ、体温に比べて低い温度刺激のときには温度刺激を与えた耳とは反対側に眼が揺れることを利用し、体温より高い温度刺激と低い温度刺激を所定の周期で与えることにより眼振を発生させる。この際、高い温度刺激と低い温度刺激を所定の周期でＯＮ／ＯＦＦ制御で与えてもよいし、あるいは、呈示温度を高い温度と低い温度での切替制御で与えてもよい。このように片方の耳に対する刺激呈示でも、十分に眼振を発生させることができ、睡眠を早期に誘導することができる。
【００４７】
また、本実施の形態では体温と眼振速度を用いたフィードバック制御で呈示温度を制御する構成としたが、フィードフォワードなどの他の制御としてもよいし、また、体温と眼振速度の一方だけの情報でフィードバック制御を行ってもよいしあるいは体温や眼振速度（眼の動き）以外の生体情報を用いてフィードバック制御を行ってもよい。
【図面の簡単な説明】
【００４８】
【図１】本実施の形態に係る誘眠装置の構成図である。
【図２】耳の構造図である。
【図３】体温と呈示温度との温度差と眼振速度との関係図である。
【図４】両耳への温度刺激呈示のＯＮ／ＯＦＦ制御の一例を示す図である。
【図５】図４の制御で両耳への温度刺激を呈示した場合の眼の動きの一例である。
【図６】図４の制御で両耳への温度刺激を呈示した場合の眼の動きの他の例である。
【図７】図４の制御で呈示温度を変えて両耳への温度刺激を呈示した場合の眼の動きの一例である。
【図８】眼振周期と誘眠効果との関係図である。
【符号の説明】
【００４９】
１…誘眠装置、２…生体情報検出部、２ａ…眼振検出部、２ｂ…体温検出部、３…温度設定部、４…温度制御部、５…刺激呈示部、５ａ…右耳用温度呈示部、５ｂ…左耳用温度呈示部
【図１】
2009039339.tif 000003
【図２】
2009039339.tif 000004
【図３】
2009039339.tif 000005
【図４】
2009039339.tif 000006
【図５】
2009039339.tif 000007
【図６】
2009039339.tif 000008
【図７】
2009039339.tif 000009
【図８】
2009039339.tif 000010